(57)【要約】      （修正有）【課題】簡単な構成で、小型軽量で安価に製造でき、使い勝手も良いパソコン、携帯通信機器などの入出力インターフェースから情報の漏洩を防止する入出力インターフェースのポートに装着される情報保護キャップを提供する。【解決手段】情報保護キャップ１において、入出力インターフェースのポートに合致するコネクタ２を備え、前記入出力インターフェースのポートに最初に挿入された際オンからオフになり二度とオンになることのない未使用検出スイッチ３と、前記入出力インターフェースのポートに挿入する前はオフ、挿入後はオン、抜き取るとオフとなる挿入検出スイッチ４と、抜き取り器挿入ポートに抜き取り器を挿入するとオン、抜き取り器を取り外すとオフとなる抜き取り器検出スイッチ７を備え、前記未使用検出スイッチ、挿入検出スイッチ及び抜き取り器検出スイッチが全てオフ状態になると警報ブザーがなるようにした。【選択図】図１
2008217441.tif 000002
【特許請求の範囲】
【請求項１】
パソコン、携帯通信機器などの入出力インターフェースからの情報漏洩を防止するため、前記入出力インターフェースのポートに合致するコネクタを備え、前記入出力インターフェースのポートに最初に挿入された際オンからオフになり二度とオンになることのない未使用検出スイッチと、前記入出力インターフェースのポートに挿入する前はオフ、挿入後はオン、抜き取るとオフとなる挿入検出スイッチと、抜き取り器挿入ポートに抜き取り器を挿入するとオン、抜き取り器を取り外すとオフとなる抜き取り器検出スイッチを備え、前記未使用検出スイッチ、挿入検出スイッチ及び抜き取り器検出スイッチが全てオフ状態になると警報ブザーがなるようにしたことを特徴とする入出力インターフェースのポートに装着される情報保護キャップ。
【請求項２】
前記警報ブザーの電源をパソコン、携帯通信機器などの本体からの電源により充電される大容量コンデンサとすることを特徴とする請求項１に記載の入出力インターフェースのポートに装着される情報保護キャップ。
【発明の詳細な説明】
【技術分野】
【０００１】
本発明は、パソコン、携帯通信機器などの入出力インターフェースから情報が漏洩するのを防止する入出力インターフェースのポートに装着される情報保護キャップに関する。
【背景技術】
【０００２】
パソコン、携帯通信機器等において、入出力インターフェースにＵＳＢ等の簡易型メモリを挿入し、パソコン、携帯通信機器内部に記憶された情報を読み取り持ち去るという事件が多く発生している。このような第三者による情報の盗難を防止するため、従来、パソコンや携帯通信機器本体内部に、パスワードや暗号化などのソフトウェアによる情報保護システムが開発されている。
【特許文献１】特開２００６−２３６３０７号公報
【発明の開示】
【発明が解決しようとする課題】
【０００３】
しかしながら、従来のパスワードや暗号化などのソフトウェアによる情報保護システムは、ソフトウェアの開発に多くの経費を必要とし、パスワードや暗号解読のキーを必要とし使い勝手に問題を有するものであった。
【０００４】
本発明は、上記従来の問題を解決するものであって、簡単な構成で、小型軽量で安価に製造でき、使い勝手も良いパソコン、携帯通信機器などの入出力インターフェースから情報の漏洩を防止する入出力インターフェースのポートに装着される情報保護キャップを提供することを目的とする。
【課題を解決するための手段】
【０００５】
本第１発明は、前記課題を解決するために、入出力インターフェースのポートに装着される情報保護キャップにおいて、パソコン、携帯通信機器などの入出力インターフェースからの情報漏洩を防止するため、前記入出力インターフェースのポートに合致するコネクタを備え、前記入出力インターフェースのポートに最初に挿入された際オンからオフになり二度とオンになることのない未使用検出スイッチと、前記入出力インターフェースのポートに挿入する前はオフ、挿入後はオン、抜き取るとオフとなる挿入検出スイッチと、抜き取り器挿入ポートに抜き取り器を挿入するとオン、抜き取り器を取り外すとオフとなる抜き取り器検出スイッチを備え、前記未使用検出スイッチ、挿入検出スイッチ及び抜き取り器検出スイッチが全てオフ状態になると警報ブザーがなるようにしたことを特徴とする。
【０００６】
本第２発明は、本第１発明の入出力インターフェースのポートに装着される情報保護キャップにおいて、前記警報ブザーの電源をパソコン、携帯通信機器など本体からの電源により充電される大容量コンデンサとすることを特徴とする。
【発明の効果】
【０００７】
本発明のパソコン、携帯通信機器などの入出力インターフェースからの情報漏洩を防止するため、前記入出力インターフェースのポートに合致するコネクタを備え、前記入出力インターフェースのポートに最初に挿入された際オンからオフになり二度とオンになることのない未使用検出スイッチと、前記入出力インターフェースのポートに挿入する前はオフ、挿入後はオン、抜き取るとオフとなる挿入検出スイッチと、抜き取り器挿入ポートに抜き取り器を挿入するとオン、抜き取り器を取り外すとオフとなる抜き取り器検出スイッチを備え、前記未使用検出スイッチ、挿入検出スイッチ及び抜き取り器検出スイッチが全てオフ状態になると警報ブザーがなるようにした構成により、簡単な構成で使い勝手の良い安価に製造できる、パソコン、携帯通信機器などの入出力インターフェースからの第３者による情報盗難を防止できる。
警報ブザーの電源をパソコン、携帯通信機器など本体からの電源により充電される大容量コンデンサとする構成により、回路構成が簡単になり部品数も少なくなるので小型化、コストの低減化、製造の容易性を向上することができる。
【発明を実施するための最良の形態】
【０００８】
以下、本発明の実施の形態を図面に基づいて説明する。図１は、本発明の入出力インターフェースのポートに装着される情報保護キャップの未使用状態を示す図である。
【０００９】
入出力インターフェースのポートに装着される情報保護キャップ１は、親指大程度の大きさで、その一端部にパソコンや携帯通信機器の入出力インターフェースのポートに合致するコネクタ２を備える。コネクタ２は、例えば、ＵＳＢのポートの場合、ＵＳＢ規格で合致するものとする。
【００１０】
コネクタ２には、未使用検出スイッチ３と挿入検出スイッチ４が設けられる。未使用スイッチ３は、未使用時はオンの状態で一度でも入出力インターフェースのポートに挿入されるとオフの状態になり、再度オンの状態にはならない。未使用スイッチ３のオン、オフの状態は第１の論理ゲート５に出力される。
【００１１】
挿入検出スイッチ４は、入出力インターフェースのポートに挿入する前はオフの状態で、挿入後はオンの状態となり、情報保護キャップ１を入出力インターフェースのポートから取り外すと再びオフの状態になる。挿入検出スイッチ４のオン、オフの状態は第１の論理ゲート５に出力される。第１の論理ゲート５は、未使用スイッチ３と挿入検出スイッチ４の状態の信号を第２の論理ゲート６に出力する。
【００１２】
入出力インターフェースのポートに装着される情報保護キャップ１には、抜き取り器８（後述する）を装着する抜き取り器挿入ポートが形成される。抜き取り器挿入ポートは、アースされた端子と第２の論理ゲート６に連結された端子を備え、抜き取り器８が挿入する前はオフの状態で、挿入されるとオンの状態となる抜き取り器検出スイッチ７として機能する。抜き取り器検出スイッチ７のオン、オフの状態は、第２の論理ゲート６に出力される。
【００１３】
第２の論理ゲート６は、第１の論理ゲート５の出力信号が、未使用検出スイッチ３と挿入検出スイッチ４がオフの状態で、且つ抜き取り器検出スイッチ７がオフの状態の時のみ信号を第３の論理ゲート９に出力する。第２の論理ゲート６と第３の論理ゲート９を結ぶラインに大容量コンデンサ１１が配置され、第３の論理ゲート９は警報ブザー１０と連結される。
【００１４】
第２図は、情報保護キャップ１が、一度でも入出力インターフェースのポートに挿入され、抜き取り器８が抜き取り器挿入ポートに装着された状態で、入出力インターフェースのポートから取り外した状態を示す図である。この状態では、未使用検出スイッチ３は、一度入出力インターフェースのポートに挿入されたのでオフの状態で、挿入検出スイッチ４は、入出力インターフェースのポートに装着されていないのでオフの状態である。パソコンや携帯通信機器の所有者が情報保護キャップ１を入出力インターフェースのポートから抜き取る必要（正常状態）があるので、その場合は、抜き取り器挿入ポートに抜き取り器８を挿入し、抜き取り器検出スイッチ７をオンの状態にしている。第２の論理ゲート６には、未使用スイッチ３と挿入検出スイッチ４がオフの状態の信号が入力され、抜き取り器検出スイッチ７がオンの状態の信号が入力するが、条件が揃わないので第２の論理ゲート６からは信号が出力されず警報ブザー１０は鳴らない。
【００１５】
第３図は、情報保護キャップ１が、入出力インターフェースのポートに挿入された状態を示す図である。未使用検出スイッチ３は、オフの状態であり、挿入検出スイッチ４はオンの状態である。抜き取り器挿入ポートには、抜き取り器８が挿入されていないので抜き取り器検出スイッチ７はオフの状態になっている。この状態では、第２の論理ゲート６に、未使用検出スイッチ３がオフの状態の信号、挿入検出スイッチ４がオンの状態の信号、抜き取り器検出スイッチ７がオフの状態の信号が入力されるが、条件が揃わないので第２の論理ゲート６からは信号が出力されず警報ブザー１０は鳴らない。
【００１６】
第４図は、第３図の状態の情報保護キャップ１を第三者が入出力インターフェースのポートから抜き取った場合つまり警報状態を示す。この状態では、未使用検出スイッチ３はオフの状態であり、挿入検出スイッチ４はオフの状態である。抜き取り器挿入ポートには、抜き取り器８が挿入されていないので抜き取り器検出スイッチ７はオフの状態になっている。この状態では、第２の論理ゲート６に、未使用検出スイッチ３がオフの状態の信号、挿入検出スイッチ４がオフの状態の信号、抜き取り器挿入検出スイッチ７がオフの状態の信号が入力され、条件が揃うので、第２の論理ゲート６から信号が第３の論理ゲート９に出力され、第３の論理ゲート９は、大容量コンデンサ１１に充電された電力を警報ブザー１０に流し警報ブザー１０を作動し警報音を発生させることにより周囲の人に情報盗難の危機を知らせる。
【００１７】
大容量コンデンサ１１の充電のための電源を、コンピュータや携帯通信機器本体からの電源とすることにより、回路構成を簡素化し、情報保護キャップ１のサイズを軽量に出来き、製造コストも安くなるので望ましい。しかし、小型バッテリ等の電源を内蔵させる等の他の電源構成を排除するものではない。警報ブザー１０の変え、光を発して周囲の人に情報盗難の危機を知らせるようにしても良い。本発明の情報保護キャップの作動を次の表１に示す。
【００１８】
【表１】
2008217441.tif 000003
【００１９】
本発明の情報保護キャップ１の使用方法としては、パソコン、携帯通信機器などを使用しない時は、情報保護キャップ１を入出力インターフェースのポートに挿入しておく。その際、抜き取り器８は、抜き取り器挿入ポートに装着しない。この状態で、第三者が情報保護キャップ１を入出力インターフェースのポートから引き抜くと警報ブザー１０が鳴り、情報盗難の危機を周囲の人に知らせる。パソコン、携帯通信機器などの所有者が使用する場合、情報保護キャップ１を入出力インターフェースのポートに挿入した状態としても良いし、他の機器を入出力インターフェースのポートに装着する必要のある時は、情報保護キャップ１の抜き取り器挿入ポートに抜き取り器８を装着して情報保護キャップ１を取り外せば警報ブザー１０は鳴らない。
【００２０】
以上のように本発明の情報保護キャップ１は、簡単な構成で、小型軽量で安価に製造でき、使い勝手も良いパソコン、携帯通信機器などの入出力インターフェースから情報の漏洩を防止することができる。
【図面の簡単な説明】
【００２１】
【図１】本発明の実施形態を示す図である。
【図２】本発明の実施形態を示す図である。
【図３】本発明の実施形態を示す図である。
【図４】本発明の実施形態を示す図である。
【符合の説明】
【００２２】
１：情報保護キャップ、２：コネクタ、３：未検出スイッチ、４：挿入検出スイッチ、５：第１の論理ゲート、６：第２の論理ゲート、７：抜き取り器検出スイッチ、８：抜き取り器、９：第３の論理ゲート、１０：警報ブザー、１１：大容量コンデンサ
【図１】
2008217441.tif 000004
【図２】
2008217441.tif 000005
【図３】
2008217441.tif 000006
【図４】
2008217441.tif 000007